(57)【要約】【課題】信号保安システムの試験を自動で行うことを可能とする信号保安システムの試験装置を得ること。【解決手段】電子連動装置１からの制御指令により信号機、転轍機および軌道回路を含む現場機器を制御するように構成された信号保安システムの試験装置１００であって、現場機器を模擬する模擬電子端末５１，５２〜５Ｎを複数備えた電子端末模擬装置５と、制御盤２および各模擬電子端末５１，５２〜５Ｎに対する指示毎に信号保安システムが正常に動作した場合の各模擬電子端末５１，５２〜５Ｎの状態を示す期待値が設定され、あらかじめ定められたシーケンスで指示を送信し、指示毎に各模擬電子端末５１，５２〜５Ｎの状態を受信して、受信結果と期待値とを照合し、照合結果を出力する自動試験装置３と、を備える。【選択図】図１
2011057145.tif 000002
【特許請求の範囲】
【請求項１】
電子連動装置からの制御指令により信号機、転轍機および軌道回路を含む現場機器を制御するように構成された信号保安システムの試験装置であって、
前記現場機器を模擬する模擬電子端末を複数備えた電子端末模擬装置と、
前記各模擬電子端末に対する指示毎に前記信号保安システムが正常に動作した場合の前記各模擬電子端末の状態を示す期待値が設定され、あらかじめ定められたシーケンスで前記指示を送信し、当該指示毎に前記各模擬電子端末の状態を受信して、当該受信結果と前記期待値とを照合し、照合結果を出力する自動試験装置と、
を備える
ことを特徴とする信号保安システムの試験装置。
【請求項２】
前記電子連動装置に前記現場機器への制御指示を行う制御盤と、
前記制御盤と前記電子連動装置との間に設けられた第１の伝送路と、
前記電子連動装置と前記電子端末模擬装置との間に設けられた第２の伝送路と、
前記制御盤と前記電子端末模擬装置と前記自動試験装置との間に設けられた第３の伝送路と、
を備え、
前記自動試験装置は、前記第３の伝送路を介して前記制御盤あるいは前記各模擬電子端末に前記指示を送信し、
前記制御盤は、前記指示に基づき前記第１の伝送路を介して前記電子連動装置に制御指示を送信し、
前記電子連動装置は、前記制御指示に基づき前記第２の伝送路を介して前記各模擬電子端末に制御指令を送信し、
前記各模擬電子端末は、前記指示あるいは前記制御指令に基づいて前記電子連動装置と連携して前記各現場機器の模擬を行うとともに、前記第３の伝送路を介して前記自動試験装置に自身の模擬状態を送信する
ことを特徴とする請求項１に記載の信号保安システムの試験装置。
【請求項３】
前記自動試験装置は、前記現場機器の異常状態設定指示を生成し、前記各模擬電子端末に送信することを特徴とする請求項１または２に記載の信号保安システムの試験装置。
【請求項４】
前記電子連動装置に前記現場機器への制御指示を行い、前記自動試験装置の機能を有する制御盤と、
前記制御盤と前記電子連動装置との間に設けられた第１の伝送路と、
前記電子連動装置と前記電子端末模擬装置との間に設けられた第２の伝送路と、
前記制御盤と前記電子端末模擬装置との間に設けられた第３の伝送路と、
を備え、
前記制御盤は、前記第３の伝送路を介して前記各模擬電子端末に前記指示を送信するとともに、前記第１の伝送路を介して前記電子連動装置に制御指示を送信し、
前記電子連動装置は、前記制御指示に基づき前記第２の伝送路を介して前記各模擬電子端末に制御指令を送信し、
前記各模擬電子端末は、前記指示あるいは前記制御指令に基づいて前記電子連動装置と連携して前記各現場機器の模擬を行うとともに、前記第３の伝送路を介して前記制御盤に自身の模擬状態を送信する
ことを特徴とする請求項１に記載の信号保安システムの試験装置。
【請求項５】
前記制御盤は、前記現場機器の異常状態設定指示を生成し、前記各模擬電子端末に送信することを特徴とする請求項４に記載の信号保安システムの試験装置。
【請求項６】
電子連動装置と複数の電子端末とが接続され、前記電子連動装置からの制御指令により信号機、転轍機および軌道回路を含む現場機器の制御を前記各電子端末で行うように構成された信号保安システムの試験装置であって、
前記現場機器を模擬する複数の現場機器模擬装置と、
前記各現場機器模擬装置に対する指示毎に前記信号保安システムが正常に動作した場合の前記各現場機器模擬装置の状態を示す期待値が設定され、あらかじめ定められたシーケンスで前記指示を送信し、当該指示毎に前記各現場機器模擬装置の状態を受信して、当該受信結果と前記期待値とを照合し、照合結果を出力する自動試験装置と、
を備える
ことを特徴とする信号保安システムの試験装置。
【請求項７】
前記電子連動装置に前記現場機器への制御指示を行う制御盤と、
前記制御盤と前記電子連動装置との間に設けられた第１の伝送路と、
前記電子連動装置と前記各電子端末との間に設けられた第２の伝送路と、
前記制御盤と前記各現場機器模擬装置と前記自動試験装置との間に設けられた第３の伝送路と、
を備え、
前記自動試験装置は、前記第３の伝送路を介して前記制御盤あるいは前記各現場機器模擬装置に前記指示を送信し、
前記制御盤は、前記指示に基づき前記第１の伝送路を介して前記電子連動装置に制御指示を送信し、
前記電子連動装置は、前記制御指示に基づき前記第２の伝送路を介して前記各電子端末に制御指令を送信し、
前記各電子端末は、前記指示あるいは前記制御指令に基づいて前記電子連動装置と連携して前記各現場機器模擬装置を制御するとともに、前記第３の伝送路を介して前記自動試験装置に前記各現場機器模擬装置の模擬状態を送信する
ことを特徴とする請求項６に記載の信号保安システムの試験装置。
【請求項８】
前記自動試験装置は、前記現場機器の異常状態設定指示を生成し、前記各現場機器模擬装置に送信することを特徴とする請求項６または７に記載の信号保安システムの試験装置。
【請求項９】
前記電子連動装置に前記現場機器への制御指示を行い、前記自動試験装置の機能を有する制御盤と、
前記制御盤と前記電子連動装置との間に設けられた第１の伝送路と、
前記電子連動装置と前記各電子端末との間に設けられた第２の伝送路と、
前記制御盤と前記各現場機器模擬装置との間に設けられた第３の伝送路と、
を備え、
前記制御盤は、前記第３の伝送路を介して前記各現場機器模擬装置に前記指示を送信するとともに、前記第１の伝送路を介して前記電子連動装置に制御指示を送信し、
前記電子連動装置は、前記制御指示に基づき前記第２の伝送路を介して前記電子端末に制御指令を送信し、
前記各電子端末は、前記指示あるいは前記制御指令に基づいて前記電子連動装置と連携して前記各現場機器模擬装置を制御するとともに、前記第３の伝送路を介して前記制御盤に前記各現場機器模擬装置の模擬状態を送信する
ことを特徴とする請求項５に記載の信号保安システムの試験装置。
【請求項１０】
前記制御盤は、前記現場機器の異常状態設定指示を生成し、前記各現場機器模擬装置に送信することを特徴とする請求項９に記載の信号保安システムの試験装置。
【発明の詳細な説明】
【技術分野】
【０００１】
本発明は、電子連動装置からの制御指令により鉄道の駅構内における信号機、転轍機等の現場機器を制御するように構成された信号保安システムの試験装置に関するものである。
【背景技術】
【０００２】
鉄道において、駅構内の信号機、転轍機、軌道回路等の現場機器を相互に関連付け、駅構内の全体的な安全を確保する信号保安システムがある。信号保安システムでは、電子連動装置と伝送路を介して接続される電子端末から、電子端末と接続される信号機、転轍機および軌道回路等の現場機器に電子連動装置からの制御信号が送信され、電子端末からの表示情報が電子連動装置に送信されるように構成される。このような信号保安システムの試験を実施する場合は、実際に信号保安システムが稼動できるように、電子連動機器および現場機器を全て接続するか、あるいは模擬的な現場機器や既設の電子端末を利用して現場機器を模擬させることにより試験を行っていた。
【０００３】
下記特許文献１では、実際の信号保安システム内の電子端末の状態を模擬する複数の模擬電子端末を具備した電子端末模擬装置を設けることにより、実際の信号保安システム内の電子端末を準備する必要なく実際の信号保安システムの試験と同様の試験を実施する技術が開示されている。また、下記特許文献２では、未設現場機器を模擬する現場機器模擬手段と、現場機器模擬手段と電子連動装置とを接続する伝送路模擬手段を設け、未設現場機器のみを現場機器模擬手段で模擬させた事前確認試験を行う技術が開示されている。
【先行技術文献】
【特許文献】
【０００４】
【特許文献１】特許第３９５０００６号公報
【特許文献２】特許第３８９４８３９号公報
【発明の概要】
【発明が解決しようとする課題】
【０００５】
しかしながら、上記従来の信号保安システムの試験装置では、制御盤や軌道回路を模擬した現場機器模擬装置に対する指示は手動で行い、信号機を模擬した現場機器模擬装置や転轍機を模擬した現場機器模擬装置の状態も目視で確認する必要があった。そのため、人の手に頼る部分が多く、試験時間が増大する、あるいは試験結果の確認漏れや誤認識が発生する、という問題があった。
【０００６】
本発明は、上記に鑑みてなされたものであって、従来人の手によって行っていた信号保安システムの試験を自動で行うことを可能とする信号保安システムの試験装置を得ることを目的とする。
【課題を解決するための手段】
【０００７】
上述した課題を解決し、目的を達成するために、本発明は、電子連動装置からの制御指令により信号機、転轍機および軌道回路を含む現場機器を制御するように構成された信号保安システムの試験装置であって、前記現場機器を模擬する模擬電子端末を複数備えた電子端末模擬装置と、前記各模擬電子端末に対する指示毎に前記信号保安システムが正常に動作した場合の前記各模擬電子端末の状態を示す期待値が設定され、あらかじめ定められたシーケンスで前記指示を送信し、当該指示毎に前記各模擬電子端末の状態を受信して、当該受信結果と前記期待値とを照合し、照合結果を出力する自動試験装置と、を備えることを特徴とする。
【発明の効果】
【０００８】
この発明によれば、電子端末模擬装置に備えられ、現場機器を模擬する複数の模擬電子端末に対して、あらかじめ定められたシーケンスで指示を行い、各指示毎に各模擬電子端末の状態を受信した結果と信号保安システムが正常に動作した場合の期待値とを照合することにより、信号保安システムが正常に動作しているか否かを自動で判断するようにしたので、信号保安システムの試験時間を短縮することができるとともに、試験結果の確認漏れや誤認識を防止することができ、電子連動装置を用いた信号保安システムの試験品質を向上させることが可能となる、という効果を奏する。
【図面の簡単な説明】
【０００９】
【図１】図１は、実施の形態１にかかる信号保安システムの試験装置の一構成例を示す図である。
【図２】図２は、実施の形態１にかかる信号保安システムの試験装置における進路設定試験時の動作例を示すシーケンス図である。
【図３】図３は、実施の形態１にかかる信号保安システムの試験装置における軌道回路短絡試験時の動作例を示すシーケンス図である。
【図４】図４は、実施の形態１にかかる信号保安システムの試験装置における信号機異常試験時の動作例を示すシーケンス図である。
【図５】図５は、実施の形態２にかかる信号保安システムの試験装置の一構成例を示す図である。
【図６】図６は、従来の信号保安システムの試験装置の構成図である。
【図７】図７は、実施の形態３にかかる信号保安システムの試験装置の一構成例を示す図である。
【発明を実施するための形態】
【００１０】
以下に、本発明にかかる信号保安システムの試験装置の実施の形態を図面に基づいて詳細に説明する。なお、この実施の形態によりこの発明が限定されるものではない。
【００１１】
実施の形態１． 
まず、実施の形態１にかかる信号保安システムの試験装置１００の構成と各部の概略動作について説明する。図１は、実施の形態１にかかる信号保安システムの試験装置１００の一構成例を示す図である。実施の形態１にかかる信号保安システムの試験装置１００の試験対象となる信号保安システムは、電子連動装置１および制御盤２を備え、電子連動装置１と制御盤２との間に設けられた第１の伝送路としてのＬＡＮ６１、電子連動装置１と電子端末模擬装置５との間に設けられた第２の伝送路としてのＬＡＮ６２を有している。実施の形態１にかかる信号保安システムの試験装置１００は、自動試験装置３および電子端末模擬装置５を備え、自動試験装置３と電子端末模擬装置５との間に設けられた第３の伝送路としてのＬＡＮ６３を有している。信号保安システムと実施の形態１にかかる信号保安システムの試験装置１００との間は、電子連動装置１と電子端末模擬装置５との間がＬＡＮ６２を介して接続され、制御盤２と自動試験装置３および電子端末模擬装置５との間がＬＡＮ６３を介して接続されている。
【００１２】
電子端末模擬装置５は、複数の模擬電子端末５１，５２〜５Ｎから構成される。模擬電子端末５１，５２〜５Ｎは、ＬＡＮ６２およびＬＡＮ６３に接続され、各現場機器を模擬する機能および電子連動装置１との間で情報授受を行う機能を有している。なお、主な現場機器としては、信号機、転轍機および軌道回路等があり、模擬電子端末５１，５２〜５Ｎは、これらの各現場機器に各々対応している。以下、模擬電子端末５１，５２〜５Ｎが模擬する信号機、転轍機および軌道回路を、それぞれ「模擬信号機」、「模擬転轍機」および「模擬軌道回路」といい、これらを総称して「模擬現場機器」という。
【００１３】
電子連動装置１は、ＣＰＵ（Central Processing Unit）を組み込んだ連動処理部（図示せず）や各種メモリ（図示せず）等から構成される。電子連動装置１は、ＬＡＮ６１を介して制御盤２からの模擬電子端末５１，５２〜５Ｎへの制御指示を受信し、制御指示に基づいて各模擬電子端末５１，５２〜５Ｎの状況を判断してＬＡＮ６２を介して電子端末模擬装置５に制御指令を送信する機能、およびＬＡＮ６２を介して制御指令に対する各模擬電子端末５１，５２〜５Ｎの設定状況（すなわち、制御指令に対する設定完了通知）を受信し、ＬＡＮ６１を介して制御盤２に送信する機能を有している。また、電子連動装置１は、各模擬電子端末５１，５２〜５Ｎが異常動作した場合には、各模擬電子端末５１，５２〜５Ｎの異常を検出してＬＡＮ６１を介して制御盤２に異常通知を送信する機能も有している。なお、信号保安システムとして実際に運用する際には、電子連動装置１は、ＬＡＮ６１を介して各現場機器に対応する電子端末（図示せず）と通信し、各現場機器に対する制御指令や各現場機器の設定完了通知および異常通知の送受信を行う。
【００１４】
制御盤２は、コンピュータ（図示せず）、ＬＣＤ（Liquid Crystal Display）等の表示装置（図示せず）、キーボードあるいはマウス等の入力装置（図示せず）から構成され、ユーザーからの指示を受け付け、ＬＡＮ６１を介して電子連動装置１に各模擬電子端末５１，５２〜５Ｎへの制御指示を送信する機能および電子連動装置１から各模擬電子端末５１，５２〜５Ｎの設定完了通知および異常通知を受信して、ＬＣＤ等の表示装置に表示する機能を有している。なお、信号保安システムとして実際に運用する際には、制御盤２は、ＬＡＮ６１を介して電子連動装置１に各現場機器への制御指示を送信するとともに、各現場機器の設定完了通知および異常通知を受信して、ＬＣＤ等の表示装置に表示する。
【００１５】
自動試験装置３は、あらかじめ定められたシーケンスでＬＡＮ６３を介して制御盤２や電子端末模擬装置５に対する指示を自動で送信する機能、およびＬＡＮ６３を介して各模擬現場機器の制御状態を受信する機能を有する。また、自動試験装置３は、制御盤２や各模擬電子端末５１，５２〜５Ｎに対する指示の他に、各指示毎に各模擬電子端末５１，５２〜５Ｎ（すなわち、各模擬現場機器）の期待値が電子データ等として設定され、各模擬電子端末５１，５２〜５Ｎの制御状態を受信した結果と各指示毎に設定された期待値とを照合し、照合結果を出力する機能を有している。出力された照合結果は、ＬＣＤ等の表示装置（図示せず）に表示するか、あるいは電子データとしてＨＤＤ（Hard Disk Drive：図示せず）や不揮発性メモリ（図示せず）等に記録することができる。照合結果が不一致の場合は、ＬＣＤ等の表示装置にエラーメッセージを表示するか、あるいはスピーカー（図示せず）からアラーム音を出力することにより、ユーザーに照合結果の不一致を通知することも可能である。
【００１６】
ここで、自動試験装置３に設定される期待値とは、制御盤２や各模擬電子端末５１，５２〜５Ｎに対する指示毎に、信号保安システムが正常に動作した場合の状態を示すものである。例えば、進路設定の試験を実施した場合に、各模擬現場機器の制御状態を取得して期待値と照合することにより、信号保安システムが正常に動作しているか否かを判定するために用いられる。
【００１７】
ＬＡＮ６１は、電子連動装置１と制御盤２との間に設けられる伝送路である。ＬＡＮ６１は、通常、信号保安システムにおいては、伝送路断等の障害に備えて多重系で構成され、一般的には伝送路を２系統用意する２重系で構成される。
【００１８】
ＬＡＮ６２は、電子連動装置１と各現場機器に対応する電子端末（図示せず）との間に設けられる伝送路である。本実施の形態では、信号保安システムの試験を実施するために電子連動装置１と電子端末模擬装置５との間に設けられている。ＬＡＮ６２は、通常、前述したＬＡＮ６１と同様に、伝送路断等の障害に備えて多重系で構成される。
【００１９】
ＬＡＮ６３は、制御盤２、電子端末模擬装置５および自動試験装置３間に設けられる伝送路である。なお、ＬＡＮ６３は、試験実施時にあれば良く、信号保安システムとして実際に運用する際には、必ずしも必要ではない。
【００２０】
つぎに、実施の形態１にかかる信号保安システムの試験装置１００の動作について、図１〜図４を参照して説明する。まず、自動試験装置３から進路設定指示を行い、信号機の設定および転轍機の設定を模擬信号機および模擬転轍機に模擬させる進路設定試験を行う場合について説明する。図２は、実施の形態１にかかる信号保安システムの試験装置１００における進路設定試験時の動作例を示すシーケンス図である。
【００２１】
まず、自動試験装置３から制御盤２に対して、ＬＡＮ６３経由で進路設定指示を行う（ステップＳＴ１０１）。
【００２２】
制御盤２は、進路設定指示を受信すると、ＬＡＮ６１を介して受け取った進路設定指示を電子連動装置１に送信する（ステップＳＴ１０２）。
【００２３】
電子連動装置１は、定期的に各模擬現場機器の状態をチェックしており、制御盤２から受信した進路設定指示内容および現在の各模擬現場機器の状態に基づいて、進路設定可否の支障判断等を行い（ステップＳＴ１０３）、支障がなければ、電子端末模擬装置５にＬＡＮ６２を介して信号機／転轍機設定指示を送信する（ステップＳＴ１０４）。
【００２４】
電子端末模擬装置５は、電子連動装置１から受信した信号機／転轍機設定指示に従って、模擬信号機や模擬転轍機の状態を設定し（ステップＳＴ１０５）、電子連動装置１にＬＡＮ６２を介して設定完了通知を送信する（ステップＳＴ１０６）。
【００２５】
電子連動装置１は、電子端末模擬装置５から受信した設定完了通知を、制御盤２にＬＡＮ６１を介して送信する（ステップＳＴ１０７）。
【００２６】
制御盤２は、電子連動装置１から受信した設定完了通知を受けて、ＬＣＤ等の表示装置に表示されている模擬信号機、模擬転轍機等の表示状態を更新し（ステップＳＴ１０８）、自動試験装置３にＬＡＮ６３を介して設定完了通知を送信する（ステップＳＴ１０９）。
【００２７】
自動試験装置３は、設定完了通知を受信すると、電子端末模擬装置５にＬＡＮ６３経由で模擬信号機や模擬転轍機の状態確認要求を送信する（ステップＳＴ１１０）。
【００２８】
電子端末模擬装置５は、自動試験装置３からの状態確認要求を受信すると、模擬信号機や模擬転轍機の状態を取得し（ステップＳＴ１１１）、自動試験装置３にＬＡＮ６３を介して状態通知を送信する（ステップＳＴ１１２）。
【００２９】
自動試験装置３は、電子端末模擬装置５から受信した状態通知と、あらかじめ電子データ等として設定された期待値とを照合し（ステップＳＴ１１３）、照合結果を出力する（ステップＳＴ１１４）。ここで、自動試験装置３から出力された進路設定指示の結果、信号保安システムが正常に動作していれば、電子端末模擬装置５から受信した状態通知と期待値とが一致する。出力された照合結果は、ＬＣＤ等の表示装置（図示せず）に表示するか、あるいは電子データとしてＨＤＤ（Hard Disk Drive：図示せず）や不揮発性メモリ（図示せず）等に記録することができる。状態通知と期待値とが一致していない場合には、信号保安システムに異常があると判定し、ＬＣＤ等の表示装置にエラーメッセージを表示するか、あるいはスピーカー（図示せず）からアラーム音を出力することにより、ユーザーに信号保安システムの異常を通知することも可能である。
【００３０】
なお、図２に示したシーケンスでは、進路設定時に支障がない場合について説明したが（ステップＳＴ１０３参照）、支障がある場合は、電子連動装置１から制御盤２に対して進路設定不可の応答を返し、制御盤２においてＬＣＤ等の表示装置にエラーメッセージを表示するか、あるいはスピーカーからアラーム音を出力することにより、ユーザーに対して注意を喚起するとともに、自動試験装置３に対して進路設定不可の応答を送信する。ステップＳＴ１１０以降のシーケンスについては、前述した通りである。
【００３１】
また、図２に示したシーケンスでは、自動試験装置３から電子端末模擬装置５への状態確認要求（ステップＳＴ１１０参照）は、制御盤２から自動試験装置３に対する設定完了通知（ステップＳＴ１０９参照）を受けてから行っていたが、自動試験装置３から制御盤２に対する進路設定指示（ステップＳＴ１０１参照）から電子連動装置１が制御盤２に対して設定完了通知（ステップＳＴ１０６参照）を返し、制御盤２が表示更新（ステップＳＴ１０８参照）するまでの時間の最大値はあらかじめ決められており、必ずしも自動試験装置３は制御盤２からの設定完了通知（ステップＳＴ１０９参照）を待ってから電子端末模擬装置５に状態確認要求（ステップＳＴ１１０参照）をする必要はなく、自動試験装置３が制御盤２に対する進路設定指示（ステップＳＴ１０１参照）を行ってから一定時間後に自動試験装置３から電子端末模擬装置５に状態確認要求（ステップＳＴ１１０参照）を行うようにしてもよい。
【００３２】
つぎに、自動試験装置３から軌道回路短絡指示を行い、軌道回路の短絡を模擬軌道回路に模擬させる軌道回路短絡動作試験を行う場合について説明する。図３は、実施の形態１にかかる信号保安システムの試験装置１００における軌道回路短絡動作試験時の動作例を示すシーケンス図である。
【００３３】
まず、自動試験装置３から電子端末模擬装置５に対して、ＬＡＮ６３経由で軌道回路短絡指示を行う（ステップＳＴ２０１）。一般的に、列車の在線状態は、リレーの状態で判断する。すなわち、列車在線時には、軌道回路が短絡されることで、軌道回路リレーが落下し、列車が在線していない場合は、軌道回路リレーが扛上する。本シーケンス図では、軌道回路短絡とは列車が軌道回路上に在線していることを示す。
【００３４】
電子端末模擬装置５は、自動試験装置３から軌道回路短絡指示を受けて、模擬軌道回路の軌道回路短絡設定、すなわち軌道回路リレーを落下させる設定を行い（ステップＳＴ２０２）、軌道回路短絡通知、すなわち列車が在線状態であることを電子連動装置１にＬＡＮ６２を介して送信する（ステップＳＴ２０３）。
【００３５】
電子連動装置１は、電子端末模擬装置５から受信した軌道回路短絡通知に基づいて、模擬信号機や模擬転轍機の設定が必要か判断する（ステップＳＴ２０４）。例えば、設定された進路の内方軌道回路が短絡した場合には、信号機の点灯状態を「緑」表示から「赤」表示に変化させる等の判断を行う。
【００３６】
続いて、電子連動装置１は、電子端末模擬装置５に対して、ステップＳＴ２０４において判断した内容に基づいて、信号機／転轍機設定指示を送信する（ステップＳＴ２０５）。以降の動作については、図２に示したシーケンスと同様であるため説明を省略する（ステップＳＴ１０５〜ステップＳＴ１１４）。
【００３７】
つぎに、自動試験装置３から異常状態設定指示を行い、現場機器が異常動作したことを模擬電子端末５１，５２〜５Ｎに模擬させ、信号保安システムに現場機器の異常を検出させる異常検出試験を行う場合について説明する。図４は、実施の形態１にかかる信号保安システムの試験装置１００における信号機異常検出試験時の動作例を示すシーケンス図である。
【００３８】
まず、自動試験装置３から電子端末模擬装置５に対して、ＬＡＮ６３経由で信号機異常設定指示を行う（ステップＳＴ３０１）。ここでは、本来「赤」表示となっているべき信号機が、故障により「緑」表示となった場合を想定して説明する。
【００３９】
電子端末模擬装置５は、自動試験装置３から受信した信号機異常設定指示に基づいて、模擬信号機の状態を「赤」表示から「緑」表示に変更し（ステップＳＴ３０２）、電子連動装置１にＬＡＮ６２を介して信号機状態変更通知を送信する（ステップＳＴ３０３）。
【００４０】
電子連動装置１は、電子端末模擬装置５から受信した信号機状態変更通知に基づいて、信号機が意図に反して「赤」表示から「緑」表示になったことを検出し（ステップＳＴ３０４）、制御盤２にＬＡＮ６１を介して信号機異常通知を送信する（ステップＳＴ３０５）。
【００４１】
制御盤２は、電子連動装置１から受信した信号機異常通知を受けて、ＬＣＤ等の表示装置に信号機の異常を示すエラーメッセージを表示し（ステップＳＴ３０６）、自動試験装置３にＬＡＮ６３を介して信号機異常通知を送信する（ステップＳＴ３０７）。
【００４２】
自動試験装置３は、電子端末模擬装置５から受信した信号機異常通知と、あらかじめ電子データ等として設定された期待値とを照合し（ステップＳＴ３０８）、照合結果を出力する（ステップＳＴ３０９）。ここで、自動試験装置３から出力された信号機異常設定指示の結果、信号保安システムが正常に動作していれば、信号機の表示が「赤」表示から「緑」表示となったことを示す信号機異常通知がフィードバックされる。それ以外の状態変化を示す通知がフィードバックされた場合や、あらかじめ設定された一定時間内に信号機異常通知がフィードバックされない場合は、信号保安システムに異常があると判定し、ＬＣＤ等の表示装置にエラーメッセージを表示するか、あるいはスピーカー（図示せず）からアラーム音を出力することにより、ユーザーに信号保安システムの異常を通知することができる。
【００４３】
以上のように、実施の形態１の信号保安システムの試験装置によれば、電子端末模擬装置に備えられ、現場機器を模擬する複数の模擬電子端末に対して、あらかじめ定められたシーケンスで指示を行い、各指示毎に各模擬電子端末の状態を受信した結果と信号保安システムが正常に動作した場合の期待値とを照合することにより、信号保安システムが正常に動作しているか否かを自動で判断するようにしたので、信号保安システムの試験時間を短縮することができるとともに、試験結果の確認漏れや誤認識を防止することができ、電子連動装置を用いた信号保安システムの試験品質を向上させることが可能となる。
【００４４】
また、現場機器の異常状態設定指示を自動試験装置から行い、現場機器が異常動作した場合の模擬を行うことにより、信号保安システムが現場機器の異常状態を正しく検出するか否かを判定することができる。
【００４５】
実施の形態２．
図５は、実施の形態２にかかる信号保安システムの試験装置２００の一構成例を示す図である。また、図６は、従来の信号保安システムの試験装置の構成図である。実施の形態１にかかる信号保安システムの試験装置２００の試験対象となる信号保安システムは、電子連動装置１、制御盤２および電子端末７１，７２，７３を備え、電子連動装置１と制御盤２との間に設けられた第１の伝送路としてのＬＡＮ６１、電子連動装置１と電子端末模擬装置５との間に設けられた第２の伝送路としてのＬＡＮ６２を有している。実施の形態２にかかる信号保安システムの試験装置２００は、各現場機器を模擬する現場機器模擬装置８１，８２，８３および自動試験装置３を備え、自動試験装置３と電子端末模擬装置５との間に設けられた第３の伝送路としてのＬＡＮ６３を有している。信号保安システムと実施の形態１にかかる信号保安システムの試験装置２００との間は、電子連動装置１と電子端末７１，７２，７３との間がＬＡＮ６２を介して接続され、制御盤２と自動試験装置３および現場機器模擬装置８１，８２，８３との間がＬＡＮ６３を介して接続されている。
【００４６】
電子端末７１，７２，７３および現場機器模擬装置８１，８２，８３は、実施の形態１で説明した電子端末模擬装置５（図１参照）として機能する。図６に示す従来の信号保安システムの試験装置では、現場機器模擬装置に対する指示は手動で制御盤２からＬＡＮ６２を介して行っていたが、実施の形態２にかかる構成では、現場機器模擬装置８１，８２，８３を図６に示す従来の信号保安システムの試験装置から流用しつつ、自動試験装置３およびＬＡＮ６３を備えることによって、あらかじめ定められたシーケンスでＬＡＮ６３を介して制御盤２や現場機器模擬装置８１，８２，８３に対する指示を自動で送信することができる。
【００４７】
各電子端末７１，７２，７３は、信号保安システムとして実際に運用する際には、各現場機器に対応して接続される。本実施の形態では、各電子端末７１，７２，７３は、信号保安システムの試験対象として各現場機器模擬装置８１，８２，８３と接続され、ＬＡＮ６２を介して電子連動装置１との間で情報授受を行う。なお、主な現場機器としては、信号機、転轍機および軌道回路等があり、各現場機器模擬装置８１，８２，８３がこれらの各現場機器を模擬し、各電子端末７１，７２，７３は、これらの各現場機器模擬装置８１，８２，８３に各々対応している。
【００４８】
各現場機器模擬装置８１，８２，８３は、ＬＡＮ６３を介して各々が模擬している模擬現場機器の状態を制御盤２や自動試験装置３に送信する機能を有している。また、各現場機器模擬装置８１，８２，８３は、実際の現場にある装置を模擬する機能を備えている。
【００４９】
現場機器模擬装置８１は、例えば信号機を模擬するものであり、視覚的に信号機の状態を表示する機能を有し、模擬信号機として動作する。表示機能としては、例えば、赤色（Ｒ）、黄色（Ｙ）、緑色（Ｇ）のＬＥＤ（Light Emitting Diode：図示せず）を用いることで、実際の信号機と同様の表示も可能である。
【００５０】
現場機器模擬装置８２は、例えば転轍機を模擬するものであり、転轍機の向いている方向を表示する機能を有し、模擬転轍機として動作する。表示機能としては、例えばＬＥＤ（図示せず）が用いられる。また、転轍機は現場において手動で転換するものもあるため、例えばスイッチ（図示せず）等の切り替え機能を有している。また、現場において手動で転換する転轍機の制御は、現場機器模擬装置８２に備えられた切り替え機能からだけでなく、ＬＡＮ６３を介して制御盤２や自動試験装置３からの指示で行うことも可能な構成とする。
【００５１】
現場機器模擬装置８３は、例えば軌道回路を模擬するものであり、スイッチ等の切り替え機能を有し、模擬軌道回路として動作することにより、列車の在線状態を模擬するものである。また、前述の現場の転轍機を模擬する現場機器模擬装置８２と同様に、ＬＡＮ６３を介して列車の在線状態の模擬を制御盤２や自動試験装置３からの指示で行うことも可能な構成とする。
【００５２】
このように構成された実施の形態２にかかる信号保安システムの試験装置では、従来の信号保安システムの試験装置における現場機器模擬装置８１，８２，８３を流用することができる。また、例えば、図１に示す実施の形態１にかかる構成で電子連動装置１、制御盤２、ＬＡＮ６１、およびＬＡＮ６３を含む信号保安システムの試験を実施して正常であることを確認した後に、実施の形態２にかかる構成で電子端末７１，７２，７３を試験対象として試験を実施することも可能である。
【００５３】
以上のように、実施の形態２の信号保安システムの試験装置によれば、従来の信号保安システムの試験装置の構成から、現場機器模擬装置を流用して構成するようにしたので、既存の現場機器模擬装置の有効活用ができる。また、実施の形態１にかかる構成と併用することで、各現場機器に対応する電子端末と、それ以外の箇所とで不良箇所を切り分けることができる。
【００５４】
実施の形態３． 
図７は、実施の形態３にかかる信号保安システムの試験装置３００の一構成例を示す図である。実施の形態３にかかる信号保安システムの試験装置３００は、実施の形態１における自動試験装置の機能および制御盤の機能を併せ持った自動制御機能付制御盤４を備えている。なお、実施の形態１と同一あるいは同等の機能を有する構成部については、同一符号を付して、その詳細な説明は省略する。
【００５５】
実施の形態１において説明した自動試験装置３の機能は、あらかじめ定められたシーケンスで動作するため、ソフトウェアで実現することができる。したがって、制御盤のソフトウェアに自動試験機能を組み込むことにより、自動試験機能付制御盤４を構成することができる。すなわち、ソフトウェアは機能毎に動作/非動作を設定することができるので、信号保安システムの試験時には自動試験機能を動作させ、実際の信号保安システム稼働時には自動試験機能を停止させるようにすればよい。
【００５６】
このように構成された実施の形態３にかかる信号保安システムの試験装置では、実施の形態１において説明した制御盤２および自動試験装置３の機能が１つの装置で実現できる。
【００５７】
また、図５に示す実施の形態２における制御盤２を、自動試験装置の機能および制御盤の機能を併せ持った自動制御機能付制御盤４とすることも可能である。このようにすれば、現場機器模擬装置８１，８２，８３を図６に示す従来の信号保安システムの試験装置から流用しつつ、制御盤２および自動試験装置３の機能が１つの装置で実現できる。
【００５８】
以上のように、実施の形態３の信号保安システムの試験装置によれば、制御盤のソフトウェアに自動試験機能を組み込むようにしたので、別途自動試験装置を設置する必要がなく、自動試験装置の設置場所を確保する必要がないことに加え、信号保安システムの試験装置の導入にかかる初期投資費用を抑制することができる。
【００５９】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００６０】
以上のように、本発明にかかる信号保安システムの試験装置は、信号保安システムの試験を自動で行うことができる発明として有用である。
【符号の説明】
【００６１】
１      電子連動装置
２      制御盤
３      自動試験装置
４      自動試験機能付制御盤
５      電子端末模擬装置
５１    模擬電子端末
５２    模擬電子端末
５Ｎ    模擬電子端末
６１    ＬＡＮ（第１の伝送路）
６２    ＬＡＮ（第２の伝送路）
６３    ＬＡＮ（第３の伝送路）
７１    電子端末（信号機制御）
７２    電子端末（転轍機制御）
７３    電子端末（軌道回路制御）
８１    現場機器模擬装置（模擬信号機）
８２    現場機器模擬装置（模擬転轍機）
８３    現場機器模擬装置（模擬軌道回路）
１００  信号保安システムの試験装置
２００  信号保安システムの試験装置
３００  信号保安システムの試験装置
【図１】
2011057145.tif 000003
【図２】
2011057145.tif 000004
【図３】
2011057145.tif 000005
【図４】
2011057145.tif 000006
【図５】
2011057145.tif 000007
【図６】
2011057145.tif 000008
【図７】
2011057145.tif 000009